(57)【要約】      （修正有）【課題】個人海外旅行者に対して、世界各国のホテル情報を提供し、予約サービスを実現するソーシャル・ネットワーキング・サービスを提供する。【解決手段】個々のウェブサイトで閲覧又は予約をするのではなく、１つのウェブサイト上で、ホテルの予約と、航空券の予約と、世界各国の情報の閲覧及び書き込みと、ソーシャル・ネットワーキング・サービスとを一括して行うことにより、個人海外旅行者は本発明のシステムのみで、目的地に関する正しい知識を身につけることができ、安全な海外旅行を実現でき、問い合わせフォームと電子メールのみでやりとりを１回のみで済ませることが可能となるので、旅行者の時間を無駄に使う必要がなくなる。【選択図】図１
2009093603.tif 000002
【特許請求の範囲】
【請求項１】
個人海外旅行予定者に対して目的地のホテルの詳細を検索するシステムに於いて、
通信網に接続されてインターネットにアクセス可能な全世界の顧客と交配信するパーソナルコンピュータと、
第１のアクセスサーバに置かれた全世界の各ホテルの名称と、所在地と、国際電話番号と、国際ＦＡＸ番号と、ＵＲＬと、ホテルランクと、総客室数と、建物階数と、チェックイン時間と、チェックアウト時間と、使用できるクレジットカードと、最寄空港からのアクセス情報と、ホテルまでの最寄駅と、ホテルサービスの類と、客室設備の類と、館内設備の類と、ビジネスサービスの類と、写真と、価格と、地図と、申し込みフォームを含む情報の第１のデータベースと、
上記のデータベースから引き出された情報を閲覧するシステムと、
上記のデータベースから引き出された情報に対して予約申し込みをするシステム。
【請求項２】
請求項１記載の個人海外旅行予定者に対して目的地の空港情報を閲覧するシステムに於いて、
請求項１記載の通信網に接続されてインターネットにアクセス可能なパーソナルコンピュータと、
第２のアクセスサーバに置かれた全世界各国各都市の、空港名と、空港情報と、運航会社と、空港からの交通アクセス情報と、日本に於ける主国際空港から目的地までの所要時間を含む情報の第２のデータベースと、
上記のデータベースから引き出された情報を閲覧するシステム。
【請求項３】
請求項１及び請求項２記載の個人海外旅行者に対して、目的地の情報を閲覧するシステムに於いて、
請求項１及び請求項２記載のパーソナルコンピュータと、
第３のアクセスサーバに置かれた全世界各国各都市の、使用言語と、使用通貨と、使用できるクレジットカードと、宗教と、時差及びサマータイムと、税関と、入出国及びビザと、電源及びプラグと、使用される水と、郵便料金及び郵便局の営業時間と、国際電話の掛け方と、喫煙及び禁煙地区と、病院及び日本語対応可なドクターが存在する病院と、立ち入り禁止地区と、ショッピング情報と、グルメ情報を含む情報の第３のデータベースと、
上記のデータベースから引き出された情報を閲覧するシステム。
【請求項４】
請求項１記載のシステムは、旅行者がクチコミ情報を書き込むことの可能なシステムを有する。
【請求項５】
通信網に接続されてインターネットにアクセス可能なパーソナルコンピュータを保持している旅行者に対して、
旅行者は旅の最中でも請求項１、請求項２及び請求項３記載のシステムは閲覧及び書き込みが可能なシステムを有する。
【請求項６】
個人海外旅行予定者及び個人海外旅行希望者並びに海外旅行に興味のある者に対して、
請求項１及び請求項２記載のパーソナルコンピュータと、
第４のアクセスサーバに置かれた、各々の海外ホテルと、航空会社と、空港と、請求項３記載の情報を含むトピックスの第４のデータベースと、
上記のトピックスに対して発信源は国内外を問わない、ソーシャル・ネットワーキング・サービスシステム。
【発明の詳細な説明】
【発明の詳細な説明】
【技術分野】
【０００１】  本発明は個人海外旅行希望者及び個人海外旅行に興味のある者に対して、全世界各エリア３万件のホテル情報を提供し、予約を可能とする、ホテル検索及び予約システムに関する。
【背景技術】
【０００２】  インターネット上でホテルの検索及び閲覧又は予約が可能なシステムは数多く存在しており、また、インターネットを経由しての航空券予約システムも存在しており、更に、世界各国の情報を閲覧するシステムも存在する。【０００３】  しかしながら、上記のシステムは個々のシステムであり、個人海外旅行希望者は各ウェブサイトを訪問して情報を閲覧し、又は予約しなければならない不便さがあった。【０００４】  そこで上述したウェブサイトのように個々で閲覧又は予約をするのではなく、１つのウェブサイト上で、ホテルの予約と、航空券の予約と、世界各国の情報の閲覧及び書き込みと、ソーシャル・ネットワーキング・サービスとを一括して行うことにより、個人海外旅行者は本発明のシステムのみで、目的地に関する正しい知識を身につけることができ、安全な海外旅行を実現できる。【０００５】  また、従来の技術では旅行会社が仲介に入ることにより、海外旅行者はパッケージツアーの計画通り、旅行をしていかなければならなく、個人の好みに合った旅行を楽しむことができなかった。【０００６】  本発明では、ホテルの検索から航空会社の選択まで個人で決定することが可能であるので、個人のオリジナルの旅行が実現できる。【０００７】  更に、従来の技術では個人海外旅行者は、ホテルの予約から航空券の予約及び現地情報の確認を行う作業を必要とし、それにより旅行者の時間を大いに必要とするという問題点があった。【０００８】  本発明では、問い合わせフォームと電子メールのみでやりとりを１回のみで済ませることが可能となるので、旅行者の時間を無駄に使う必要がなくなる。【０００９】  更に、ホテル予約サイト並びに航空券予約サイトに於いては、現地の情報が乏しく、海外に行くという不安も多くあった。【００１０】  本発明は、クチコミ情報やソーシャル・ネットワーキング・サービスを構成することにより、海外旅行経験者及び海外情報に精通した者からの情報を得られるため、上述した不安は解消される。【００１１】  以上のように、１つのウェブサイトで旅行前、旅行中及び旅行後の必要な情報を収集できるため、あらゆるウェブサイトを訪問する手間もなく、安全な旅行を実現することができる。
【発明の表示】
【発明が解決しようとする課題】
【００１２】  従って、本発明の目的は、インターネットを使用して個人海外旅行者に対して、世界各国各地のホテル情報を提供し、予約サービスを実現し、かつコメントの書き込みあるいはソーシャル・ネットワーキング・サービスを提供することにある。
【課題を解決するための手段】
【００１３】  本発明は、個人海外旅行者に対して、全世界のホテル検索及び予約システムに於いて、
第１に、世界各国各地の各々のホテルの名称と、所在地と、国際電話番号と、国際ＦＡＸ番号と、ＵＲＬと、ホテルランクと、総客室数と、建物階数と、チェックイン時間と、チェックアウト時間と、使用できるクレジットカードと、最寄空港からのアクセス情報と、ホテルまでの最寄駅と、ホテルサービスの類と、客室設備の類と、館内設備の類と、ビジネスサービスの類と、写真と、価格と、地図と、申し込みフォームを含む、世界各国各地のホテル情報を提供する必要がある。
【００１４】  第２に、個人海外旅行者に対して、世界各国各地の空港情報提供システムに於いて、
全世界各国各都市の、空港名と、空港情報と、運航会社と、空港からの交通アクセス情報と、成田国際空港から目的地までの所要時間を含む、各都市の空港情報を提供する必要がある。
【００１５】  第３に、個人海外旅行者及び海外旅行に興味のある者に対して、世界各国各地の詳細情報提供システムに於いて、
各都市の、使用言語と、使用通貨と、使用できるクレジットカードと、宗教と、時差及びサマータイムと、税関と、入出国及びビザと、電源及びプラグと、使用される水と、郵便料金及び郵便局の営業時間と、国際電話の掛け方と、喫煙及び禁煙地区と、病院及び日本語対応可なドクターが存在する病院と、立ち入り禁止地区と、ショッピング情報と、グルメ情報を含む、各都市の詳細情報を提供する必要がある。
【００１６】  第４に、ホテル情報内に旅行者からの書き込みを可能とするシステムを構築する必要がある。
【００１７】  第５に、各々の都市と、各々のホテルと、各々の空港に関する情報を開示するため、ソーシャル・ネットワーキング・サービスを構成させる必要がある。
【００１８】  上記のソーシャル・ネットワーキング・サービスは、個人海外旅行者に限らず、海外旅行に興味のある者は誰でも参加できるサービスを構成する。
【００１９】  即ち、本過程を考慮し、データベースを作成し、情報を公開することで、個人海外旅行者並びに海外旅行に興味がある者は、自身にとって必要な情報を得ることと、必要な情報を提供する場が確保可能となる。
【発明の効果】
【００２０】  上述したように、通信網を利用した全世界のホテル検索及び予約システムと、空港情報検索と、クチコミ情報と、ソーシャル・ネットワーキング・サービスを利用することにより、個人海外旅行者は本発明のみで、あらゆるウェブサイトを閲覧する必要がなく、安全な海外旅行を実現することが可能となる。
【００２１】  本発明により、ホテルの価格と、所在と、連絡先と、詳細情報と、写真と、サービスが一目瞭然で分かることが可能となる。
【００２２】  本発明により、ホテルの予約及び航空券の予約を、問い合わせフォームにて予約することにより、旅行者は必要最小限の手間のみで予約を実現できる。
【００２３】  本発明により、クチコミからホテルや都市を検索できることにより、実際に旅行に行った旅行者の意見から、安全な旅行を実現できる。
【００２４】  本発明により、ソーシャル・ネットワーキング・サービスを用いることで、都市やホテル、航空に関する情報のトッピクスを立てるもしくは既存するトピックスを閲覧及び書き込みをすることにより、旅行に興味がある者と情報の交換を行うことで、正しい旅行の知識や安全な旅の計画を立てることを実現できる。
【発明を実施するための最良の形態】
【００２５】  以下、本発明の実施の形態を図１〜図８に基づいて説明する。【００２６】  図１に於いては、１はパーソナルコンピュータで、２の通信網に接続され、通信網は３の一般ウェブサーバからアクセスでき、一般ウェブサーバは４の一般データベースに蓄積されたデータベースから呼び出される。
利用者側は、通信網から５のアクセスサーバに接続し、更に６のメニューウェブサーバの中に入る。
メニューウェブサーバは７のホテル情報と、８の空港情報と、９の都市情報と、１５のソーシャル・ネットワーキング・サービスに接続することができ、ホテル情報からは１０のホテル検索結果に入り、更に、１３のクチコミアクセスサーバに接続することができ、クチコミアクセスサーバは、１４のクチコミデータベースから呼び出される。
空港情報からは、１１の空港検索結果に入ることができる。
同様に、都市情報からは、１２の都市検索結果に入ることができる。
ソーシャル・ネットワーキング・サービスからは、１６のホテルコミュニティと、１７の空港コミュニティと、１８の都市情報コミュニティにアクセスすることができ、ホテルコミュニティと空港コミュニティと都市情報コミュニティは、１９のＳＮＳアクセスサーバに接続され、ＳＮＳアクセスサーバは、２０のＳＮＳデータベースから呼び出される。【００２７】  図２に於いては、管理者側のフローであり、ホテル情報を作成するために、２１のホテル情報データベース作成から２２ログインし、２３ホテル情報入力を行い、２４ホテル情報を保存し、ホテル情報は２５のホテル情報データベースに蓄積され、ホテル情報作成を完了する。【００２８】  図３に於いては、管理者側のフローであり、空港情報を作成するために、２６の空港情報データベース作成から２７ログインし、２８空港情報入力を行い、２９空港情報を保存し、空港情報は３０の空港情報データベースに蓄積され、空港情報作成を完了する。【００２９】  図４に於いては、管理者側のフローであり、都市情報を作成するために、３１の都市情報データベース作成から３２ログインし、３３都市情報入力を行い、３４都市情報を保存し、都市情報は３５の都市情報データベースに蓄積され、都市情報作成を完了する。【００３０】  図５に於いては、管理者側のフローであり、ＳＮＳを作成するために、３６のＳＮＳデータベース作成から３７ログインし、３８のホテルコミュニティ作成、３９の空港コミュニティ作成、４０の都市情報コミュニティ作成又はそれらの組み合わせにアクセスする。
ホテルコミュニティ作成の後４１のホテルコミュニティを保存し、作成されたホテルコミュニティは４４のホテルコミュニティデータベースに蓄積される。
空港コミュニティ作成の後４２の空港コミュニティを保存し、作成された空港コミュニティは４５の空港コミュニティデータベースに蓄積される。
都市情報コミュニティ作成の後４３の都市情報コミュニティを保存し、作成された都市情報コミュニティは４６の都市情報コミュニティデータベースに蓄積される。
各々のデータベースにコミュニティデータが蓄積された時点でＳＮＳ作成を完了する。【００３１】  図６に於いては、利用者側の検索ページであり、各都市を選択することでその都市の対象となるホテル一覧を表示させるための画面の概略図である。【００３２】  図７に於いては、利用者側の検索ページであり、各エリア、各国、各都市の順に指定していくと対象となるホテル一覧を表示させるための画面の概略図である。【００３３】  図８に於いては、エリアを選択した場合に、そのエリアに該当する国を選択させるための画面の概略図である。【００３４】  図９に於いては、図８で国を選択した場合に、その国に該当する都市を選択させるための画面の概略図である。【００３５】  図１０に於いては、利用者側の検索結果ページであり、選択したホテルの詳細及び写真を表示させるための画面の概略図である。【００３６】  図１１に於いては、利用者側の検索結果ページであり、都市情報の詳細を、基本情報と、旅行の準備と、旅行中に必要な情報を表示させるための画面の概略図である。【００３７】  図７から図９に示されるフローを順に行っていくことで、旅行者は目的地のより詳細な検索結果を画面に表示できることを可能とする効果がある。
【図面の簡単な説明】
【００３８】
【図１】  本発明の実施形態を示すシステムのフロー
【図２】  本発明に於ける、ホテル情報を作成するための管理者側のフロー
【図３】  本発明に於ける、空港情報を作成するための管理者側のフロー
【図４】  本発明に於ける、都市情報を作成するための管理者側のフロー
【図５】  本発明に於ける、ＳＮＳを作成するための管理者側のフロー
【図６】  本発明に於ける、エリア選択型でホテル検索するための概略図
【図７】  本発明に於ける、条件指定型でホテルを検索するための主となる概略図
【図８】  本発明に於ける、条件指定型でホテルを検索したときの副となる概略図
【図９】  本発明に於ける、条件指定型でホテルを検索したときの副となる概略図
【図１０】  ホテル検索結果の詳細を表示する概略図
【図１１】  各国各都市の情報を表示する概略図
【符号の説明】
１  パーソナルコンピュータ
２  通信網
３  一般ウェブサーバ
４  一般データベース
５  アクセスサーバ
６  メニューウェブサーバ
７  ホテル情報
８  空港情報
９  都市情報
１０  ホテル検索結果
１１  空港検索結果
１２  都市検索結果
１３  クチコミアクセスサーバ
１４  クチコミデータベース
１５  ソーシャル・ネットワーキング・サービス
１６  ホテルコミュニティ
１７  空港コミュニティ
１８  都市情報コミュニティ
１９  ＳＮＳアクセスサーバ
２０  ＳＮＳデータベース
２１  ホテル情報データベース作成
２２  ログイン
２３  ホテル情報入力
２４  ホテル情報保存
２５  ホテル情報データベース
２６  空港情報データベース作成
２７  ログイン
２８  空港情報入力
２９  空港情報保存
３０  空港情報データベース
３１  都市情報データベース作成
３２  ログイン
３３  都市情報入力
３４  都市情報保存
３５  都市情報データベース
３６  ＳＮＳデータベース作成
３７  ログイン
３８  ホテルコミュニティ作成
３９  空港コミュニティ作成
４０  都市情報コミュニティ作成
４１  ホテルコミュニティ保存
４２  空港コミュニティ保存
４３  都市情報コミュニティ保存
４４  ホテルコミュニティデータベース
４５  空港コミュニティデータベース
４６  都市情報コミュニティデータベース
１００  エリア選択型ホテル検索
１０１  主となる条件指定型ホテル検索
１０２  副となる説明図
１０３  副となる説明図
１０４  ホテル検索結果詳細ページ
１０５  イメージ写真
１０６  国の基本情報説明図
【図１】
2009093603.tif 000003
【図２】
2009093603.tif 000004
【図３】
2009093603.tif 000005
【図４】
2009093603.tif 000006
【図５】
2009093603.tif 000007
【図６】
2009093603.tif 000008
【図７】
2009093603.tif 000009
【図８】
2009093603.tif 000010
【図９】
2009093603.tif 000011
【図１０】
2009093603.tif 000012
【図１１】
2009093603.tif 000013